(57)【要約】【課題】  小型光ディスクの再生に関する重要情報にエラーが発生することをさらに効率的に防止できる小型光ディスク、小型光ディスクにデータを記録する装置およびその方法、小型光ディスクに記録されたデータを再生する装置およびその方法を提供する。【解決手段】  リードイン領域、ユーザデータ領域およびリードアウト領域を備え、前記リードイン領域、ユーザデータ領域およびリードアウト領域が外周から内周方向に順次に備えられる。【選択図】      図２
2004348947.tif 000002
【特許請求の範囲】
【請求項１】
リードイン領域、ユーザデータ領域およびリードアウト領域を備えた光ディスクにおいて、
前記リードイン領域、ユーザデータ領域およびリードアウト領域が外周から内周方向に順次に備えられることを特徴とする光ディスク。
【請求項２】
内周の所定領域の一トラックの長さより長い記録単位でデータが記録されたことを特徴とする請求項１に記載の光ディスク。
【請求項３】
外周から内周方向にデータが記録されたことを特徴とする請求項１に記載の光ディスク。
【請求項４】
最内周領域から所定領域までの領域には少なくとも２つの前記記録単位に同一データが反復記録されたことを特徴とする請求項１に記載の光ディスク。
【請求項５】
光ヘッドと、
リードイン領域、ユーザデータ領域およびリードアウト領域が外周から内周方向に順次に備えられた光ディスクのデータ領域構造情報が保存された光ディスク情報保存部と、
前記データ領域構造情報を参照して、記録するデータの種類によって前記リードイン領域、ユーザデータ領域またはリードアウト領域のうち一領域に前記データを記録するように前記光ヘッドを制御する制御部とを含むことを特徴とするデータ記録装置。
【請求項６】
前記制御部は、前記光ディスクの内周の所定領域の一トラックの長さより長い記録単位で前記光ディスクにデータを記録するように前記光ヘッドを制御することを特徴とする請求項５に記載のデータ記録装置。
【請求項７】
前記制御部は、前記光ディスクの外周から内周方向にデータを記録するように前記光ヘッドを制御することを特徴とする請求項５に記載のデータ記録装置。
【請求項８】
前記制御部は、前記光ディスクの最内周領域から所定領域までの領域にデータを記録する場合、少なくとも２つの記録単位に同一データを反復記録するように前記光ヘッドを制御することを特徴とする請求項５に記載のデータ記録装置。
【請求項９】
（ａ）光ディスクのリードイン領域、ユーザデータ領域またはリードアウト領域のうち記録するデータの種類によって前記データを記録する領域を決定する段階と、
（ｂ）前記光ディスクのデータ領域構造情報を参照して、前記データを前記決定された領域に記録する段階とを含み、
前記光ディスクのデータ領域構造情報はリードイン領域、ユーザデータ領域およびリードアウト領域が外周から内周方向に順次に備えられた光ディスクであることを示す情報であることを特徴とするデータ記録方法。
【請求項１０】
前記（ｂ）段階は、前記光ディスクの内周の所定領域の一トラックの長さより長い記録単位でデータを記録する段階であることを特徴とする請求項９に記載のデータ記録方法。
【請求項１１】
前記（ｂ）段階は、前記光ディスクの外周から内周方向にデータを記録する段階であることを特徴とする請求項９に記載のデータ記録方法。
【請求項１２】
前記（ｂ）段階は、前記光ディスクの最内周領域から所定領域までの領域にデータを記録する場合、少なくとも２つの記録単位に同一データを反復記録する段階を含むことを特徴とする請求項９に記載のデータ記録方法。
【請求項１３】
光ヘッドと、
リードイン領域、ユーザデータ領域およびリードアウト領域が外周から内周方向に順次に備えられた光ディスクのデータ領域構造情報が保存された光ディスク情報保存部と、
前記データ領域構造情報を参照して、再生するデータの種類によって前記リードイン領域、ユーザデータ領域またはリードアウト領域のうち一領域から前記データを再生するように前記光ヘッドを制御する制御部とを含むことを特徴とするデータ再生装置。
【請求項１４】
前記光ディスクは、内周の所定領域の一トラックの長さより長い記録単位でデータが記録されたことを特徴とする請求項１３に記載のデータ再生装置。
【請求項１５】
前記制御部は、前記光ディスクの外周から内周方向にデータを再生するように前記光ヘッドを制御することを特徴とする請求項１３に記載のデータ再生装置。
【請求項１６】
（ａ）光ディスクのリードイン領域、ユーザデータ領域またはリードアウト領域のうち再生するデータの種類によって前記データを再生する領域を決定する段階と、
（ｂ）前記光ディスクのデータ領域構造情報を参照して、前記データを前記決定された領域から再生する段階と、を含み、
前記光ディスクのデータ領域構造情報はリードイン領域、ユーザデータ領域およびリードアウト領域が外周から内周方向に順次に備えられた光ディスクであることを示す情報であることを特徴とするデータ再生方法。
【請求項１７】
前記光ディスクは、内周の所定領域の一トラックの長さより長い記録単位でデータが記録されたことを特徴とする請求項１６に記載のデータ再生方法。
【請求項１８】
前記（ｂ）段階は、前記光ディスクの外周から内周方向にデータを再生する段階であることを特徴とする請求項１６に記載のデータ再生方法。
【請求項１９】
（ａ）光ディスクのリードイン領域、ユーザデータ領域またはリードアウト領域のうち記録するデータの種類によって前記データを記録する領域を決定する段階と、
（ｂ）前記光ディスクのデータ領域構造情報を参照して、前記データを前記決定された領域に記録する段階とを含み、
前記光ディスクのデータ領域構造情報はリードイン領域、ユーザデータ領域およびリードアウト領域が外周から内周方向に順次に備えられた光ディスクであることを示す情報であることを特徴とするデータ記録方法を実現するためのプログラムを記録したコンピュータ可読記録媒体。
【請求項２０】
（ａ）光ディスクのリードイン領域、ユーザデータ領域またはリードアウト領域のうち再生するデータの種類によって前記データを再生する領域を決定する段階と、
（ｂ）前記光ディスクのデータ領域構造情報を参照して、前記データを前記決定された領域から再生する段階とを含み、
前記光ディスクのデータ領域構造情報はリードイン領域、ユーザデータ領域およびリードアウト領域が外周から内周方向に順次に備えられた光ディスクであることを示す情報であることを特徴とするデータ再生方法を実現するためのプログラムを記録したコンピュータ可読記録媒体。
【発明の詳細な説明】
【技術分野】
【０００１】
本発明は小型光ディスク、小型光ディスクにデータを記録する装置およびその方法、小型光ディスクに記録されたデータを再生する装置およびその方法に関する。
【背景技術】
【０００２】
情報を保存する情報保存媒体には、フロッピー（登録商標）ディスクおよびハードディスクのような磁気ディスク、磁気テープ、ＲＯＭやＲＡＭのような半導体メモリチップおよびＣＤ、ＤＶＤのような光ディスクなど多様な種類がある。
【０００３】
このような情報保存媒体のうち光ディスクは、半導体技術および信号処理技術の発展につれてその情報保存容量が急激に増加しつつあり、その値段も比較的やすくて非常に広範囲に使われている。
【０００４】
一方、光ディスクに記録される情報は一定サイズのブロック単位で記録される。データが記録される単位ブロックはエラー訂正の基本単位であるＥＣＣ（Ｅｒｒｏｒ  Ｃｏｒｒｅｃｔｉｏｎ  Ｃｏｄｅ）ブロックでもある。従来の光ディスクに適用されたＥＣＣブロックのサイズは普通３２ＫＢｙｔｅまたは６４ＫＢｙｔｅのうち一つである。
【０００５】
最近ではカムコーダのような音声だけでなく映像情報まで共に記録および／または再生できる携帯用電子装置の情報保存媒体として光ディスクを利用しようとする試みがある。
【０００６】
しかし、従来の光ディスクをカムコーダなどの携帯用電子装置に利用するにはいろいろな問題がある。すなわち、現在主に使われる８０ｍｍまたは１２０ｍｍサイズの光ディスクをカムコーダの情報保存媒体として利用するにはあまりにも大きく、かつ電力消費が大きい問題がある。
【０００７】
したがって、カムコーダなどの携帯用電子装置の情報保存媒体として光ディスクを利用するためには、従来の光ディスクよりサイズはさらに小さな一方、データ記録密度はさらに向上した小型の光ディスクが要求される。
【０００８】
しかし、従来の光ディスクと比較してサイズが縮まった小型光ディスクに従来と同じサイズのＥＣＣブロック単位でデータを記録する場合、小型光ディスクの内周領域へのデータ記録時に問題が発生する。
【０００９】
図１は、従来のＥＣＣブロック単位でデータが記録された小型光ディスクの最内周領域を示す図である。
【００１０】
たとえば、小型光ディスクの中心から半径６ｍｍの最内周のデータ記録領域に６４ＫＢｙｔｅのＥＣＣブロック単位で内周から外周方向にデータを記録する場合、一つのＥＣＣブロックは図１に示された点Ａから点Ｂまでの領域に記録される。すなわち、一つのＥＣＣブロックが最内周領域の約２つのトラックにかけて記録される。このような小型光ディスクの最内周領域に図示されたようにラジアル方向にスクラッチが発生するならば、最内周に記録された一つのＥＣＣブロックに深刻なエラーが発生するようになってエラー訂正能力が顕著に低下してしまう。
【００１１】
すなわち、小型光ディスクの最内周の一トラックに一つのＥＣＣブロックが全部記録されずに２つ以上のトラックにかけて記録される場合、スクラッチなどにより小型光ディスクの最内周領域に欠陥が発生すれば最内周領域に記録されたＥＣＣブロックのエラー訂正能力が顕著に低下してしまう問題がある。
【００１２】
また、従来光ディスクは内周から外周方向にリードイン領域、ユーザデータ領域およびリードアウト領域が配置されたデータ領域構造を持つ。したがって、一般的に光ディスクの内周領域は光ディスクに記録されたデータの再生に関する重要データが記録されたリードイン領域に該当する。
【００１３】
したがって、光ディスクの内周領域に記録されたＥＣＣブロックのエラー訂正能力の顕著な低下はさらに問題となる。
【発明の開示】
【発明が解決しようとする課題】
【００１４】
したがって、本発明が解決しようとする技術的課題は、小型光ディスクの再生に関する重要情報にエラーが発生することをさらに効率的に防止できる小型光ディスクを提供するところにある。
【００１５】
本発明が解決しようとする他の技術的課題は、小型光ディスクの再生に関する重要情報にエラーが発生することをさらに効率的に防止できるように小型光ディスクにデータを記録する装置およびその方法を提供するところにある。
【００１６】
本発明が解決しようとするまた他の技術的課題は、小型光ディスクの再生に関する重要情報にエラーが発生することをさらに効率的に防止できるように小型光ディスクに記録されたデータを再生する装置およびその方法を提供するところにある。
【課題を解決するための手段】
【００１７】
前記課題を解決するための本発明による光ディスクは、リードイン領域、ユーザデータ領域およびリードアウト領域を備えた光ディスクにおいて、前記リードイン領域、ユーザデータ領域およびリードアウト領域が外周から内周方向に順次に備えられることを特徴とする。
【００１８】
また、前記光ディスクは内周の所定領域の一トラックの長さより長い記録単位でデータが記録されたことを特徴とする。
【００１９】
また、前記光ディスクは外周から内周方向にデータが記録されたことが望ましい。
【００２０】
また、前記光ディスクの最内周領域から所定領域までの領域には少なくとも２つの前記記録単位に同一データが反復記録されたことが望ましい。
【００２１】
前記他の課題を解決するための本発明による小型光ディスクにデータを記録する装置は、光ヘッドと、リードイン領域、ユーザデータ領域およびリードアウト領域が外周から内周方向に順次に備えられた光ディスクのデータ領域構造情報が保存された光ディスク情報保存部と、前記データ領域構造情報を参照して、記録するデータの種類によって前記リードイン領域、ユーザデータ領域またはリードアウト領域のうち一領域に前記データを記録するように前記光ヘッドを制御する制御部とを含む。
【００２２】
また前記制御部は、前記光ディスクの内周の所定領域の一トラックの長さより長い記録単位で前記光ディスクにデータを記録するように前記光ヘッドを制御することが望ましい。
【００２３】
また前記制御部は、前記光ディスクの外周から内周方向にデータを記録するように前記光ヘッドを制御することが望ましい。
【００２４】
また前記制御部は、前記光ディスクの最内周領域から所定領域までの領域にデータを記録する場合、少なくとも２つの記録単位に同一データを反復記録するように前記光ヘッドを制御することが望ましい。
【００２５】
前記他の課題を解決するための本発明による小型光ディスクにデータを記録する方法は、（ａ）光ディスクのリードイン領域、ユーザデータ領域またはリードアウト領域のうち記録するデータの種類によって前記データを記録する領域を決定する段階と、（ｂ）前記光ディスクのデータ領域構造情報を参照して、前記データを前記決定された領域に記録する段階とを含み、前記光ディスクのデータ領域構造情報はリードイン領域、ユーザデータ領域およびリードアウト領域が外周から内周方向に順次に備えられた光ディスクであることを示す情報であることを特徴とする。
【００２６】
また前記（ｂ）段階は、前記光ディスクの内周の所定領域の一トラックの長さより長い記録単位でデータを記録する段階であることが望ましい。
【００２７】
また前記（ｂ）段階は、前記光ディスクの外周から内周方向にデータを記録する段階であることが望ましい。
【００２８】
また前記（ｂ）段階は、前記光ディスクの最内周領域から所定領域までの領域にデータを記録する場合、少なくとも２つの記録単位に同一データを反復記録する段階を含むことが望ましい。
【００２９】
前記また他の課題を解決するための本発明による小型光ディスクに記録されたデータを再生する装置は、光ヘッドと、リードイン領域、ユーザデータ領域およびリードアウト領域が外周から内周方向に順次に備えられた光ディスクのデータ領域構造情報が保存された光ディスク情報保存部と、前記データ領域構造情報を参照して、再生するデータの種類によって前記リードイン領域、ユーザデータ領域またはリードアウト領域のうち一領域から前記データを再生するように前記光ヘッドを制御する制御部とを含む。
【００３０】
また前記光ディスクは、内周の所定領域の一トラックの長さより長い記録単位でデータが記録されたことを特徴とする。
【００３１】
また前記制御部は、前記光ディスクの外周から内周方向にデータを再生するように前記光ヘッドを制御することが望ましい。
【００３２】
前記さらに他の課題を解決するための本発明による小型光ディスクに記録されたデータを再生する方法は、（ａ）光ディスクのリードイン領域、ユーザデータ領域またはリードアウト領域のうち再生するデータの種類によって前記データを再生する領域を決定する段階と、（ｂ）前記光ディスクのデータ領域構造情報を参照して、前記データを前記決定された領域から再生する段階とを含み、前記光ディスクのデータ領域構造情報はリードイン領域、ユーザデータ領域およびリードアウト領域が外周から内周方向に順次に備えられた光ディスクであることを示す情報であることを特徴とする。
【００３３】
また前記光ディスクは、内周の所定領域の一トラックの長さより長い記録単位でデータが記録されたことを特徴とする。
【００３４】
また前記（ｂ）段階は、前記光ディスクの外周から内周方向にデータを再生する段階であることが望ましい。
【発明の効果】
【００３５】
本発明による小型光ディスクは、光ディスクのサイズが小さくなって最内周または内周の所定領域の一トラックに一つのＥＣＣブロックが全部記録されずに２つ以上のトラックにかけて記録される小型光ディスクにおいて、小型光ディスクの再生に関する重要情報にエラーが発生することをさらに効率的に防止できる。
【００３６】
また、エラー訂正が難しい内周領域に記録されるデータは反復記録されることによって内周領域でのスクラッチなどの欠陥によるエラー発生をさらに効率的に防止できる。
【００３７】
また、本発明による小型光ディスクにデータを記録する装置およびその方法と、小型光ディスクに記録されたデータを再生する装置およびその方法とは、小型光ディスクの再生に関する重要情報にエラーが発生することをさらに効率的に防止できるようにデータを記録／再生できる。
【発明を実施するための最良の形態】
【００３８】
以下、添付された図面を参照して本発明による望ましい実施例を詳細に説明する。
【００３９】
図２は、本発明の望ましい実施例による小型光ディスクを示す図である。小型光ディスク１００にはリードイン領域１１０、ユーザデータ領域１３０およびリードアウト領域１５０が小型光ディスク１００の外周から内周方向に備えられる。
【００４０】
リードイン領域１１０は小型光ディスク１００の使用、言い換えればデータの記録／再生に関するデータが記録された領域であって、データ記録が可能な最外周領域から所定領域までの領域である。
【００４１】
リードイン領域１１０に記録される情報の例としては、小型光ディスク１００に関する情報、欠陥管理機能が提供される場合には欠陥管理に関する情報などが記録される。欠陥管理に関する情報とは、ユーザデータ領域のうち一部領域に欠陥が発生してユーザデータを記録できない場合、欠陥が発生した領域のアドレスおよびそのユーザデータが記録された代替領域のアドレスを含む情報をいい、より広くは代替領域に記録されたユーザデータを含む。
【００４２】
また、リードイン領域１１０にはＯＰＣ（Ｏｐｔｉｍｕｍ
Ｐｏｗｅｒ Ｃｏｎｔｒｏｌ）領域が割当てられる。ＯＰＣ領域は、小型光ディスク１００へのデータ記録のための記録条件をテストするために備えられた領域である。
【００４３】
ユーザデータ領域１３０はユーザデータが記録される領域であり、リードアウト領域１５０はリードイン領域１１０に記録される情報のうち一部が記録される領域であり、そのデータ構造はリードイン領域１１０の構造と類似している。
【００４４】
すなわち、光ディスクのサイズが小さくなって最内周または内周の所定領域の一トラックに一つのＥＣＣブロックが全部記録されずに２つ以上のトラックにかけて記録される小型光ディスクにおいて、このような小型光ディスクの内周領域に欠陥が発生する時、内周領域に記録された重要データに対するエラー訂正能力が顕著に低下する問題を解決するために、本発明による小型光ディスク１００はリードイン領域１１０、ユーザデータ領域１３０およびリードアウト領域１５０が外周から内周方向に備えられる。
【００４５】
すなわち、リードイン領域に含まれた光ディスクに記録されたデータの再生に関する重要データを内周領域と比較してエラーにさらに強い外周領域に記録する。
【００４６】
一方、リードアウト領域に含まれたデータがエラーに弱い内周領域に記録される。内周領域に記録されるデータの再生時にエラー発生を減らすために最内周領域から所定領域までの領域に記録するデータは少なくとも２つ以上の記録単位に反復記録する。
【００４７】
本明細書で記録単位とは光ディスクのデータ記録単位であって、光ディスクに記録されたデータのエラー訂正単位である一つのＥＣＣブロックをいう。
【００４８】
以下では本発明によるデータ記録および／または再生装置を説明する。
【００４９】
図３は、本発明の望ましい実施例によるデータ記録および／または再生装置２００のブロック図である。データ記録および／または再生装置２００は光ヘッド２１０、コーデック２２０、光ディスク情報保存部２４０、制御部２６０、入力データインターフェース部２７０およびユーザインターフェース部２８０を含む。
【００５０】
光ヘッド２１０は、制御部２６０の制御によって図２に示されたような本発明による小型光ディスク１００に／からデータを記録／再生する。
【００５１】
コーデック２２０は、小型光ディスク１００に記録するデータを所定方式で符号化または変調するか、小型光ディスク１００から再生されたデータを所定方式で復号化または復調する。
【００５２】
光ディスク情報保存部２４０には小型光ディスク１００に関する情報が保存される。
【００５３】
図４は、光ディスク情報保存部２４０に保存された小型光ディスク１００に関する情報が記録された光ディスク情報テーブルの一例を示す図である。図４を参照すれば、光ディスク情報テーブルにはデータ領域構造情報およびデータ反復記録関連情報などが記録される。
【００５４】
データ領域構造情報は小型光ディスク１００のデータ領域構造に関する情報であって、リードイン領域１１０、ユーザデータ領域１３０およびリードアウト領域１５０が外周から内周方向にそれぞれ所定領域ずつ割当てられていることを示す。
【００５５】
データ反復記録関連情報は、最内周領域から所定領域までの領域にデータを記録する時、同一データを反復記録するために同一データが反復記録される少なくとも２つ以上の記録単位のアドレス情報を含む。
【００５６】
制御部２２０は、光ディスク情報保存部２４０に保存された前述した光ディスク情報テーブルに記録されたデータ領域構造情報を参照して、データの種類によってリードイン領域１１０、ユーザデータ領域１３０またはリードアウト領域１５０のうち一領域に／からデータを記録／再生するように光ヘッド２１０を制御する。
【００５７】
また制御部２６０は、光ディスク情報保存部２４０に保存された前述した光ディスク情報テーブルに記録されたデータ反復記録関連情報を参照して、最内周領域から所定領域までの領域にデータを記録する時、少なくとも２つの記録単位に同一データを反復記録するように光ヘッド２１０を制御する。
【００５８】
入力データインターフェース部２７０は小型光ディスク１００に記録するデータを入力されて制御部２２０に提供する。
【００５９】
ユーザインターフェース部２８０は小型光ディスク１００へのデータ記録命令などをユーザから入力されて制御部２６０に提供する。
【００６０】
以上説明したデータ記録および／または再生装置２００の構造を参照して、本発明による小型光ディスク１００にデータを記録する方法について説明する。
【００６１】
図５は、本発明によるデータ記録方法を示すフローチャートである。
【００６２】
制御部２６０は記録するデータの種類によって小型光ディスク１００のリードイン領域１１０、ユーザデータ領域１３０またはリードアウト領域１５０のうちデータを記録する領域を決定する（第５０１段階）。
【００６３】
データを記録する領域が決定されれば、制御部２６０は光ディスク情報保存部２４０に保存された前述した光ディスク情報テーブルに記録されたデータ領域構造情報を参照して、データを記録する領域のアドレスを決定する。光ヘッド２１０は制御部２６０の制御によってデータを記録する（第５０２段階）。
【００６４】
一方、第５０２段階で、制御部２６０は光ディスク情報保存部２４０に保存された前述した光ディスク情報テーブルに記録されたデータ反復記録関連情報を参照して、最内周領域から所定領域までの領域へのデータ記録時、少なくとも２つの記録単位で同一データを反復記録するように光ヘッド２１０を制御する。
【００６５】
以下では前述したデータ記録および／または再生装置２００の構造を参照して、本発明による小型光ディスク１００に記録されたデータを再生する方法について説明する。
【００６６】
図６は、本発明によるデータ再生方法を示すフローチャートである。
【００６７】
制御部２６０は、再生するデータの種類によって小型光ディスク１００のリードイン領域１１０、ユーザデータ領域１３０またはリードアウト領域１５０のうちデータを再生する領域を決定する（第６０１段階）。
【００６８】
データを再生する領域が決定されれば、制御部２６０は光ディスク情報保存部２４０に保存された前述した光ディスク情報テーブルに記録されたデータ領域構造情報を参照して、光ヘッド２１０がデータを再生するように制御する。光ヘッド２１０は制御部２６０の制御によってデータを再生する（第６０２段階）。
【００６９】
また本発明は、コンピュータ可読記録媒体にコンピュータ可読コードで具現できる。コンピュータ可読記録媒体はコンピュータシステムによって再生されるデータが保存されるあらゆる記録装置を含む。コンピュータ可読記録媒体の例には、ＲＯＭ、ＲＡＭ、ＣＤ−ＲＯＭ、磁気テープ、フロッピー（登録商標）ディスク、光データ保存装置などがあり、またキャリアウェーブ（例えば、インターネットを通じる転送）の形態で具現できるものも含む。またコンピュータ可読記録媒体は、ネットワークに連結されたコンピュータシステムに分散されて、分散方式によりコンピュータ可読コードで保存かつ実行される。
【産業上の利用可能性】
【００７０】
本発明は光ディスクおよびその光ディスクへ／からのデータ記録および再生技術分野に適用できる。
【図面の簡単な説明】
【００７１】
【図１】従来のＥＣＣブロック単位でデータが記録された小型光ディスクの最内周領域を示す図である。
【図２】本発明の望ましい実施例による小型光ディスクを示す図である。
【図３】本発明の望ましい実施例によるデータ記録および／または再生装置のブロック図である。
【図４】光ディスク情報テーブルの一例を示す図である。
【図５】本発明の望ましい実施例によるデータ記録方法を示すフローチャートである。
【図６】本発明の望ましい実施例によるデータ再生方法を示すフローチャートである。
【符号の説明】
【００７２】
１００  小型光ディスク
１１０  リードイン領域
１３０  ユーザデータ領域
１５０  リードアウト領域
２００  データ記録および／または再生装置
２１０  光ヘッド
２２０  コーデック
２４０  光ディスク情報保存部
２６０  制御部
２７０  入力データインターフェース部
２８０  ユーザインターフェース部
【図１】
2004348947.tif 000003
【図２】
2004348947.tif 000004
【図３】
2004348947.tif 000005
【図４】
2004348947.tif 000006
【図５】
2004348947.tif 000007
【図６】
2004348947.tif 000008